(57)【要約】【課題】靴内の空気活性特性および衛生的な特性を、簡単に、同時に極めて効果的に改良することである。【解決手段】弾性的な織物から成る一面で閉じられたチューブから成っており、当該カバー（１）が、開口を備えているようにした。【選択図】図１
0003139574.tif 000002
【実用新案登録請求の範囲】
【請求項１】
靴のインソール（２）用のカバー（１）であって、弾性的な織物（１１）から成る一面で閉じられたチューブから成っており、当該カバー（１）が、開口（３）を備えていることを特徴とする、靴のインソール用のカバー。
【請求項２】
開口（３）が、弾性的なバンド（４）によって取り囲まれている、請求項１記載のカバー。
【請求項３】
織物（１１）が、糸から製造されている、請求項１または２記載のカバー。
【請求項４】
糸が、摩擦を減じる特性を有している、請求項３記載のカバー。
【請求項５】
糸が、抗かび性の効果を有している、請求項３記載のカバー。
【請求項６】
糸が、抗菌性の効果を有している、請求項３記載のカバー。
【請求項７】
足を向いた側に、機能面（５）が設けられている、請求項１から６までのいずれか一項記載のカバー。
【請求項８】
機能面（５）が、パイル状に配置されたパイル糸（６）を有している、請求項７記載のカバー。
【請求項９】
パイル糸（６）が銀糸である、請求項８記載のカバー。
【請求項１０】
パイル糸（６）が、ポリアミドから成る芯（６１）を有しており、該芯（６１）が、銀から成る層（６２）によって取り囲まれている、請求項８記載のカバー。
【請求項１１】
機能領域（５）に、少なくとも１つの空気通路（７）が設けられている、請求項７から１０までのいずれか一項記載のカバー。
【考案の詳細な説明】
【技術分野】
【０００１】
本考案は、靴のインソール用のカバーであって、弾性的な織物から成る一面で閉じられたチューブから成っている形式のものに関する。
【背景技術】
【０００２】
靴内の快適さの向上および衛生的な条件を改良するために、インソールの使用が公知である。床から靴底に作用する冷気を足から遠ざけておくために、インソールが使用されもする。公知のインソールは、たとえば革、プラスチックまたはコルク等といった極めて異なる材料から製造されている。さらに、インソールは種々異なる材料の組合せからも製造することができる。さらにインソールには、一面または両面で種々異なる材料から成る層が備えられているということが公知である。従って、たとえば冷気から防御するために、インソールの下面にアルミニウム層を形成し、これに対してインソールの表面には繊維製品から成る層を形成することが公知である。
【０００３】
特に、靴内の空気的な環境を改良するために、靴内部に改良された通気をもたらすために、たとえば孔を備え付けたインソールが公知である。靴の衛生を改良するために活性炭を備えたインソールの使用が公知である。さらに、複合材料から成るインソールの製造が公知である。複合材料は、たとえば表面活性手段または脱臭手段を含んでいるか、または靴の衛生を改良する殺菌剤またはＰＨ緩衝剤から成っている。
【０００４】
複合材料の規定の特性に基づき、インソールの使用は満足のいく結果をもたらす。しかし公知インソールを使用する際の弱点は、公知インソールが、その形状および大きさに基づき普遍的に使用可能でないという点である。さらに、インソールは自然の劣化プロセスに基づき、使用期間にわたって効果を失うので、インソールの使用にもかかわらず、靴内の空気的および衛生的な環境は悪化してしまう。
【０００５】
公知インソールの効果を改良するために、インソールを形成する材料に応じて、収容した細菌等を各靴から濯ぎ出すためにインソールを洗濯可能に構成することができる。しかしこのことは劣化プロセスを著しく促進することになる。さらに、取扱いに手間がかかる。なぜならば、たとえばソールの乾燥過程は時として時間がかかるからである。
【０００６】
前記問題は、靴の全ての使用領域に現れることである。しかし前記問題は、特に、たとえばスキー靴、スケート靴またはボーリングシューズのレンタル場合のように、種々異なる使用者が同じ靴を使用する時には大変重大なことである。ここでは、公知インソールでは、靴を新たな使用者に渡す場合に常に靴が完全に衛生であるということを保証することはできない。さらに、衛生的な問題は特に、陸上選手の場合がそうであるように、靴下を着用せずに靴を使用するスポーツに起こる。
【考案の開示】
【考案が解決しようとする課題】
【０００７】
従って、本考案が、対策を提供する。本考案の課題は、冒頭で述べた形式の靴のインソール用のカバーを改良して、靴内の空気活性特性および衛生的な特性を、簡単に、同時に極めて効果的に改良することである。
【課題を解決するための手段】
【０００８】
この課題を解決するために、本考案の構成では、弾性的な織物から成る一面的に閉じられたチューブから成っており、当該カバーが、開口を備えているようにした。
【考案の効果】
【０００９】
本考案によって、靴内の気候および衛生の明らかな改善に貢献する、靴のインソール用のカバーが提供されている。カバーがチューブ状で弾性的に構成されていることにより、カバー１はインソールの形状に最適に適合する。従って、当該カバーを極めて高い適合正確性が要求される、たとえば陸上競技用運動靴といった靴にも使用することができる。
【００１０】
さらに、当該カバーは、インソールにそれぞれ簡単に被せることができるという利点を提供する。靴の使用後には、当該カバーはインソールから脱がされ、従来の形式で洗濯することができる。これにより靴内の衛生は明らかに向上していることになる。さらに、材料に基づき、洗濯可能なインソールと比べて乾燥時間は明らかに短縮されているので、たとえば夜に洗濯したカバーを翌朝には再び使用することができる。これにより、使用快適さに関しての著しい改良は、空気改良特性または衛生改良特性を備えたインソールと比べて、インソールの洗濯可能性の点でもたらされている。
【００１１】
本考案の別の改良形および構成は、従属請求項に記載されている。
【００１２】
本考案の靴のインソール用のカバーは、弾性的な織物から成る一面で閉じられたチューブから成っており、当該カバーが、開口を備えていることを特徴とする。
【００１３】
本考案のカバーは、有利には、開口が、弾性的なバンドによって取り囲まれている。
【００１４】
本考案のカバーは、有利には、織物が、糸から製造されている。
【００１５】
本考案のカバーは、有利には、糸が、摩擦を減じる特性を有している。
【００１６】
本考案のカバーは、有利には、糸が、抗かび性の効果を有している。
【００１７】
本考案のカバーは、有利には、糸が、抗菌性の効果を有している。
【００１８】
本考案のカバーは、有利には、足を向いた側に、機能面が設けられている。
【００１９】
本考案のカバーは、有利には、機能面が、パイル状に配置されたパイル糸を有している。
【００２０】
本考案のカバーは、有利には、パイル糸が銀糸である。
【００２１】
本考案のカバーは、有利には、パイル糸が、ポリアミドから成る芯を有しており、該芯が、銀から成る層によって取り囲まれている。
【００２２】
本考案のカバーは、有利には、機能領域に、少なくとも１つの空気通路が設けられている。
【考案を実施するための最良の形態】
【００２３】
本考案を実施するための最良の形態を図面につき詳しく説明する。
【００２４】
実施例として選択されたカバー１は、靴（図示せず）のインソール２に被せるために使用される。カバー１は弾性的な織物１１から成っていて、一面で閉じられたチューブの形状を有している。これにより開口３が形成されている。この開口３はバンド４によって取り囲まれている。このバンド４も、本実施例では弾性的に構成されている。
【００２５】
カバー１に使用される材料の選択は、実質的に任意に行うことができる。織物１１の材料、もしくは織物１１を形成する糸への最も重要な要求は、織物１１が伸縮することができる、ということである。これにより、カバー１はインソール２に良好に密着し、インソールとカバーとを備えた靴を履く際に、しわ形成が回避されている。さらに、たとえばダイニーマ（Ｄｙｎｅｍａ）またはＰＴＦＥといった摩擦を減じる糸を、織物を調製するために使用することができる。皮膚への刺激または発泡形成のリスクは、これにより著しく減じられる。さらに、カバー１の織物１１が、極細繊維糸から成っていると有利であることが証明された。極細繊維糸は、有利には、ポリマ繊維から成っている。ポリアミド繊維、アラミド繊維またはアクリル繊維の使用が可能でもある。
【００２６】
たとえば真菌感染といった足の病気の恐れは、抗菌性もしくは抗かび性の糸を使用することにより減じることができる。このために、特に銀または銅から成る糸、もしくは銀または銅でコーティングされた糸が適切である。
【００２７】
開口３は、インソール２の最狭の個所よりも小さい直径を有している。これにより、開口３は、この開口３の配置形式に左右されずに、被された状態で引張力を織物１１に加えているので、織物１１の弾性的な構成に基づき、いずれにしても存在する、カバー１の張力は補強されている。本実施例では、開口３は被せられた状態において、インソール２の地面に向いた面、つまり下面の踵の領域に配置されている。この位置は、ここではいずれにしても、快適さが損なわれることが排除されてもいるので特に有利である。カバー１を別様に構成することも可能であるので、開口３はインソール２の別の領域に配置されている。しかし、この場合、たとえば足趾球を介しての転動が損なわれないことに気をつけなければならない。
【００２８】
開口３を取り囲むバンド４は、本実施例ではカフスの形式で構成されている。バンド４は、比較的広幅に寸法設定されていて、従って高い張力を有している。同時にバンド４は極めて薄く構成されていて、これによって履き心地の妨げは回避される。
【００２９】
カバー１の表面には機能面５が設けられている。この機能面５は、種々異なって構成されていてよく、履き心地もしくはカバー１の特性の改良のために働く。
【００３０】
本実施例では、機能面５はパイル状に配置されたパイルを形成する糸、つまりパイル糸６を有している。これらのパイル糸６は、表面全体にわたって延びている。実施例の変化形では、機能面５は部分的にパイル糸６を備えているだけでもよい。たとえば足指の領域は空けておくことができる。
【００３１】
パイル糸６は、「輪奈状」の表面を形成する。この構成は、「ループ」と呼ぶこともできる。加工は、たとえばエッジング（Ｋａｎｔｅｎ）により行われ、これによりパイル糸６は輪奈形成する。パイル糸６の輪奈状の形状により、皮膚に向いた側の織物に織り込む際に、比較的緊密な表面がもたらされる。これにより結果的に、フットソールの約８０％は、パイル糸６に接触していることになる。複数の小さなパイルは、原則的に微視的に小さなやすりのように働き、従って、死んでいる皮膚細胞を、生きている皮膚細胞を損なうことなく削り取ることができる。こうして、足にいる細菌は培地から除去される。削り取られた死んだ皮膚細胞は、パイル間に落ちるので、足との接触はもはや起こらない。カバー１の洗濯時には、死んでいる皮膚細胞は機能面から即座に取り除かれる。
【００３２】
パイル糸６は、本実施例では銀糸である。これらの銀糸はポリアミドから成る芯６１を有している。この芯６１は銀から成る層６２によって取り囲まれている（図４）。芯６１は実施的に非弾性的であり、織物を形成している糸に織り込まれている。パイルを形成する糸６のコーティングは、有利には電気メッキによって行われる。層６２は、本実施例の変化形では銅、金またはポリテトラフルオロエチレン等から成っていてもよい。層６２の種々異なる構成によって、種々異なる効果が達成可能である。たとえば、銅によって抗かび性の効果を得ることもできる。これに対してポリテトラフルオロエチレンから成る層は、カバーの摩擦を減じる。
【００３３】
層６２は完全に閉鎖されているので、パイル糸６は、たとえば汗といった湿気を吸収することはできない。むしろ汗は織物の方向で送られる。従って、織物もしくはこの織物を形成する糸は、空気活性特性を有している。従って、織物もしくはこの織物を形成する糸は、湿気および異物を収容することができる。これによりカバー１の表面には、ほぼ閉じられた乾燥した表面がもたらされている。この表面は、格段に快適な履き感覚を提供する。同時に織物は、汗がインソールにまで侵入することを阻止する。これによりインソール保護がもたらされる一方で、吸収した湿気による靴内の空気および衛生の悪化にインソールが貢献することを阻止する。
【００３４】
さらにカバー１の機能面５では、少なくとも１つの空気通路７が設けられている。この空気通路７は、靴内の空気の改良に貢献する。空気通路７により靴内の空気循環が可能になる。この空気循環の際には、空気は複数の空気通路を通ってフットソールの下方を貫通することができる。これによりフットソールの極めて良好な通気が達成されていることになる。運動時に必要となる、ポンプ効果をもたらす靴内の足の動き自体により、空気通路７を介して、汚れたもしくは湿った空気は、足の下方でも排出することができる。
【００３５】
本実施例では、３つの空気通路７が設けられている。これらの空気通路７により、機能面５のパイル状の構成は遮断されていることになる。空気通路７は、（ハイパイルの）パイルを簡単に遮断することにより形成することができる一方で、しかし空気調整式のメッシュ編地からも形成することができる。メッシュ編地の厚さが、機能面５の厚さにほぼ相応していると、一定の表面がもたらされる。このことは履き心地に効果的に影響を与えている。
【００３６】
本実施例の変化形では、空気通路７は放射状に配置することもできる。空気通路７のこの配置形式により、機能面５の広幅な領域がもたらされ、その結果、踏み領域全体からの湿気の搬出が可能である。この場合、空気通路７の幅および長さは通常、自由に選択可能である。空気通路７の長さおよび数は可変である。空気通路７の長さもしくは幅の拡大、または空気通路７の数の増加により、搬送可能な空気の向上が可能である。
【００３７】
本実施例の変化形の下面には、耐スリップ面を設けることができる。耐スリップ面は、カバー１が被された状態において靴に接触していて、従って、カバー１を備えたインソール２が靴内でずれることを阻止する。
【図面の簡単な説明】
【００３８】
【図１】インソールに被されたカバーの表面の斜視図である。
【図２】インソールに被された図１のカバーの下面の斜視図である。
【図３】カバーをインソールに被せる過程を示した図である。
【図４】カバーの機能面において互いに織り込まれた糸とパイル糸との概略図である。
【符号の説明】
【００３９】
１  カバー、  ２  インソール、  ３  開口、  ４  バンド、  ５  機能面、  ６  パイル糸、  ７  空気通路、  １１  織物、  ６１  芯、  ６２  層
【図１】
0003139574.tif 000003
【図２】
0003139574.tif 000004
【図３】
0003139574.tif 000005
【図４】
0003139574.tif 000006